(57)【要約】【課題】折り畳み開閉体の展開状態が保持できるようにするとともに、折り畳み開閉体を展開するときの衝撃音を大幅に低減する。【解決手段】上レール２に沿って走行可能とした上ランナー装置３と、上ランナー装置３によって吊設された折り畳み扉４とを含む。上ランナー装置３は、折り畳み扉４の上部両端部に設けられる端部上ランナー装置７と、折り畳み扉４の中間部に設けられる複数の中間部上ランナー装置８とから構成され、端部上ランナー装置７に対して移動側磁石２４が備えられるとともに、上レール２に対して折り畳み扉４が展開状態にある時に移動側磁石２４が近接する位置に固定側磁石２６が配設され、折り畳み扉４が展開状態とされた際に、移動側磁石２４と固定側磁石２６との引力によって端部上ランナー装置７に折り畳み扉４を展開させる方向であって相反する方向に夫々、作用力を発生させるようにする。【選択図】図１２
2014234615.tif 000002
【特許請求の範囲】
【請求項１】
上レールに沿って走行可能とした上ランナー装置と、前記上ランナー装置によって吊設された折り畳み開閉体とを含む折り畳み開閉体構造であって、
前記上ランナー装置は、前記折り畳み開閉体の上部両端部に設けられる端部上ランナー装置と、前記折り畳み開閉体の中間部に設けられる複数の中間部上ランナー装置とから構成され、
前記端部上ランナー装置に対して移動側磁石が備えられるとともに、前記上レールに対して前記折り畳み開閉体が展開状態にある時に前記移動側磁石が近接する位置に固定側磁石が配設され、前記折り畳み開閉体が展開状態とされた際に、前記移動側磁石と固定側磁石との引力によって前記端部上ランナー装置に前記折り畳み開閉体を展開させる方向であって相反する方向に夫々、作用力を発生させるようにしたことを特徴とする折り畳み開閉体構造。
【請求項２】
上レールに沿って走行可能とした上ランナー装置と、前記上ランナー装置によって吊設されるとともに、一方側からの展開及び折り畳みが可能とされ他方側が固定された折り畳み開閉体とを含む折り畳み開閉体構造であって、
前記上ランナー装置は、前記折り畳み開閉体の上部であって一方側の端部に設けられる端部上ランナー装置と、前記折り畳み開閉体の中間部に設けられる複数の中間部上ランナー装置とから構成され、
前記端部上ランナー装置に対して移動側磁石が備えられるとともに、前記上レールに対して前記折り畳み開閉体が展開状態にある時に前記移動側磁石が近接する位置に固定側磁石が配設され、前記折り畳み開閉体が展開状態とされた際に、前記移動側磁石と固定側磁石との引力によって前記端部上ランナー装置に前記折り畳み開閉体を展開させる方向に、作用力を発生させるようにしたことを特徴とする折り畳み開閉体構造。
【請求項３】
前記折り畳み開閉体は、下レールに沿って走行可能とした端部下ランナー装置によって下端が支持され、
前記端部下ランナー装置に対して移動側磁石が備えられるとともに、前記下レールに対して前記折り畳み開閉体が展開状態にある時に前記移動側磁石が近接する位置に固定側磁石が配設され、前記折り畳み開閉体が展開状態とされた際に、前記移動側磁石と固定側磁石との引力によって前記端部下ランナー装置に前記折り畳み開閉体を展開させる方向に、作用力を発生させるようにした請求項１、２いずれかに記載の折り畳み開閉体構造。
【発明の詳細な説明】
【技術分野】
【０００１】
本発明は、上レールに沿って走行可能とした上ランナー装置と、前記上ランナー装置によって吊設された折り畳み開閉体とを有する折り畳み開閉体構造に関する。
【背景技術】
【０００２】
アコーデオン扉、アコーデオンドア、折戸、間仕切り壁、収納家具前面のカーテン扉などの折り畳み開閉体においては、上レールを配置し、この上レール内を走行自在とした上ランナーを配設し、この上ランナーによって前記折り畳み開閉体を吊設するようにしている。
【０００３】
前記上ランナーによって吊設された折り畳み開閉体では、磁石の引力を利用して展開状態や折り畳み状態を保持するようにしたものが種々開発されている。特に展開状態を保持するための手段として、例えば下記特許文献１には、カーテンの一側部に付設されるガイドフレームの先端面に、ドア枠の他方の側框に固着された吸磁体に吸着して、カーテンの伸長状態を保持するマグネットを埋設したアコーディオンドアが開示されている。
【０００４】
また、下記特許文献２には、ハンガーレールに沿って移動可能に支持した間仕切り部材の端部に移動框を回動可能に支持し、前記移動框に操作ハンドルを取着し、該操作ハンドルを操作して前記移動框を前記ハンガーレールに沿って移動させることにより前記間仕切り部材を引き出し及び畳み込み可能とし、前記間仕切り部材を引き出したとき該移動框をマグネットで対向面に吸着保持する間仕切り装置が開示されている。
【先行技術文献】
【特許文献】
【０００５】
【特許文献１】特開２０１０−７７７０９号公報
【特許文献２】特開２００７−２３５７５号公報
【発明の概要】
【発明が解決しようとする課題】
【０００６】
しかしながら、上記特許文献１、２記載のアコーディオンドアなどでは、カーテンの展開状態を保持するために、カーテンのガイドフレーム（移動框）の先端面にマグネットを取り付け、このマグネットをカーテンの閉鎖状態でガイドフレームの先端面がドア枠の側框に固着された吸磁体に吸着させることによって、カーテンの展開状態が保持されるようになっているが、意匠的にドア枠の側框を有さない前面の全てに亘ってカーテンが張設される収納家具やクローゼットなどの場合、カーテンの側框の先端面が自由端となるため、カーテンの展開状態を保持することができなかった。
【０００７】
カーテンの両側がピンと張った状態に保持できないと、アコーデオン式のカーテンが自然に折り畳まれてしまうという問題が発生するとともに、カーテンに皺が寄って見栄えが悪く、意匠性が低下するという問題があった。
【０００８】
また、上記特許文献１、２記載のアコーディオンドアなどの場合、カーテンのガイドフレームをドア枠の側框に当接させることによって、マグネットを吸着させるようにしたものであるため、カーテンの閉止時に大きな衝撃音が発生しやすく、集合住宅や寝室など静穏環境を保持したい場所での使用が困難であった。
【０００９】
そこで本発明の主たる課題は、折り畳み開閉体の側端が自由端とされるものであっても、折り畳み開閉体の展開状態が保持できるようにするとともに、折り畳み開閉体を展開するときの衝撃音を大幅に低減した折り畳み開閉体構造を提供することにある。
【課題を解決するための手段】
【００１０】
前記課題を解決するために請求項１に係る本発明として、上レールに沿って走行可能とした上ランナー装置と、前記上ランナー装置によって吊設された折り畳み開閉体とを含む折り畳み開閉体構造であって、
前記上ランナー装置は、前記折り畳み開閉体の上部両端部に設けられる端部上ランナー装置と、前記折り畳み開閉体の中間部に設けられる複数の中間部上ランナー装置とから構成され、
前記端部上ランナー装置に対して移動側磁石が備えられるとともに、前記上レールに対して前記折り畳み開閉体が展開状態にある時に前記移動側磁石が近接する位置に固定側磁石が配設され、前記折り畳み開閉体が展開状態とされた際に、前記移動側磁石と固定側磁石との引力によって前記端部上ランナー装置に前記折り畳み開閉体を展開させる方向であって相反する方向に夫々、作用力を発生させるようにしたことを特徴とする折り畳み開閉体構造が提供される。
【００１１】
上記請求項１記載の発明では、折り畳み開閉体の上部両端部に設けられる端部上ランナー装置に対して移動側磁石を備えるとともに、前記上レールに対して前記折り畳み開閉体が展開状態にある時に前記移動側磁石が近接する位置に固定側磁石を備え、前記折り畳み開閉体が展開状態とされた際に、前記移動側磁石と固定側磁石との引力によって前記端部上ランナー装置に前記折り畳み開閉体を展開させる方向であって相反する方向に夫々、作用力を発生させるようにしているため、折り畳み開閉体の側端が自由端とされるものであっても、前記移動側磁石と固定側磁石との引力によって折り畳み開閉体の展開状態が保持できるようになる。また、折り畳み開閉体の側面に備えられた磁石と、縦框等の側面に備えられた磁石とを当接させ、これらの磁石の吸着力によって展開状態を保持するのではなく、前記移動側磁石と前記折り畳み開閉体が展開状態にある時に前記移動側磁石が近接する位置に配設された固定側磁石との引力によって、折り畳み開閉体の展開状態を保持しているため、折り畳み開閉体を展開するための衝撃音が大幅に低減できるようになる。
【００１２】
請求項２に係る本発明として、上レールに沿って走行可能とした上ランナー装置と、前記上ランナー装置によって吊設されるとともに、一方側からの展開及び折り畳みが可能とされ他方側が固定された折り畳み開閉体とを含む折り畳み開閉体構造であって、
前記上ランナー装置は、前記折り畳み開閉体の上部であって一方側の端部に設けられる端部上ランナー装置と、前記折り畳み開閉体の中間部に設けられる複数の中間部上ランナー装置とから構成され、
前記端部上ランナー装置に対して移動側磁石が備えられるとともに、前記上レールに対して前記折り畳み開閉体が展開状態にある時に前記移動側磁石が近接する位置に固定側磁石が配設され、前記折り畳み開閉体が展開状態とされた際に、前記移動側磁石と固定側磁石との引力によって前記端部上ランナー装置に前記折り畳み開閉体を展開させる方向に、作用力を発生させるようにしたことを特徴とする折り畳み開閉体構造が提供される。
【００１３】
上記請求項２記載の発明では、折り畳み開閉体が一方側からの展開及び折り畳みが可能とされ他方側が固定された折り畳み開閉体であって、上ランナー装置が一方側の端部にのみ設けられ、他方側の端部がヒンジ部材によって縦框等に固定された折り畳み開閉体を備えた折り畳み開閉体構造に関するもので、この場合にも両端から展開及び折り畳み可能なものと同様の端部上ランナー装置を設けることが可能である。
【００１４】
請求項３に係る本発明として、前記折り畳み開閉体は、下レールに沿って走行可能とした端部下ランナー装置によって下端が支持され、
前記端部下ランナー装置に対して移動側磁石が備えられるとともに、前記下レールに対して前記折り畳み開閉体が展開状態にある時に前記移動側磁石が近接する位置に固定側磁石が配設され、前記折り畳み開閉体が展開状態とされた際に、前記移動側磁石と固定側磁石との引力によって前記端部下ランナー装置に前記折り畳み開閉体を展開させる方向に、作用力を発生させるようにした請求項１、２いずれかに記載の折り畳み開閉体構造が提供される。
【００１５】
上記請求項３記載の発明では、上ランナー装置と同様に、折り畳み開閉体の下端にも端部下ランナー装置を取り付けている。これによって、折り畳み開閉体の展開状態において、上ランナー装置の移動側磁石と固定側磁石との引力によって所定の作用力を発生させ、折り畳み開閉体が上下に亘って伸長状態が保持できるとともに、折り畳み開閉体の端部が傾動するのが防止できる。
【発明の効果】
【００１６】
以上詳説のとおり本発明によれば、折り畳み開閉体の側端が自由端とされるものであっても、折り畳み開閉体の展開状態が保持できるようになるとともに、折り畳み開閉体を展開するときの衝撃音が大幅に低減できるようになる。
【図面の簡単な説明】
【００１７】
【図１】本発明のアコーデオン扉１（閉状態）の全体正面図である。
【図２】本発明のアコーデオン扉１（閉状態）の要部正面図である。
【図３】本発明のアコーデオン扉１（閉状態）の要部平面図（図２のIII−III線矢視図）である。
【図４】本発明のアコーデオン扉１（開状態）の要部平面図（図２のIII−III線矢視図）である。
【図５】上レール２と中間部上ランナー装置３との納まりを示す横断面図（閉状態）である。
【図６】上レール２と中間部上ランナー装置３との納まりを示す横断面図（開状態）である。
【図７】中間部上ランナ装置３の上レール２への装着要領を示す斜視図である。
【図８】中間部上ランナ装置３への翼板取付け要領を示す斜視図である。
【図９】中間部上ランナ装置３を示す、(A)は平面図、(B)は背面図、(C)は右側面図である。
【図１０】本発明のアコーデオン扉１の側面図である。
【図１１】上レール２と端部上ランナー装置７との納まりを示す、(A)は要部拡大正面図、(B)は平面図である。
【図１２】端部上ランナー装置７の上レール２への装着要領を示す斜視図である。
【図１３】下レール５と端部下ランナー装置６との納まりを示す要部拡大正面図である。
【図１４】端部下ランナー装置６の下レール５への装着要領を示す斜視図である。
【発明を実施するための形態】
【００１８】
以下、本発明の実施の形態について図面を参照しながら詳述する。
【００１９】
図１に示されるアコーデオン扉１は、上レール２と、この上レール２に沿って走行自在とされる上ランナー装置３と、この上ランナー装置３によって吊設される折り畳み扉４と、下レール５と、この下レール５に沿って走行自在とされるとともに、前記折り畳み扉４の下部両端部を支持する端部下ランナー装置６、６とからなる。前記上ランナー装置３は、前記折り畳み扉４の上部両端部に設けられる端部上ランナー装置７、７と、折り畳み扉４の中間部に設けられる複数の中間部上ランナー装置８、８…とから構成されている。そして、図１〜図３に示されるように、前記上ランナー装置３、３が最大間隔となる状態とした時は、前記折り畳み扉４が展開されるようになっており、図４に示されるように、前記上ランナー装置３，３が最小間隔となる状態とした時は、前記折り畳み扉４が蛇腹状に折り畳まれるようになっている。本アコーデオン扉は、例えば収納家具の前面を覆う扉や間仕切り壁などとして使用可能なものである。
【００２０】
以下、図面に基づいて更に詳述する。
【００２１】
前記上レール２は、図５に示されるように、断面略矩形状を成す部材であり、アルミ合金又は鋼材より構成されている。具体的には、上壁面２ａと、この上壁面２ａの一方端から垂下する一方側側壁面２ｂと、前記上壁面２ａの他方端から垂下する他方側側壁面２ｃと、前記一方側側壁面２ｂの下端から水平方向に延びる一方側下壁面２ｄと、その先端から上方に延びる走行軌条２ｅと、この走行軌条２ｅの上部位置であって前記上壁面２ａの下面から垂下する垂下片２ｆと、前記他方側側壁面２ｃの下端から水平方向に延びる他方側下壁面２ｇと、この他方側下壁面２ｇの内面側に起立する走行軌条２ｈと、この走行軌条２ｈの上部位置であって前記上壁面の下面から突出する走行軌条２ｉとからなる。
【００２２】
後述するように、前記走行軌条２ｅがランナー装置３の主ローラ１３が走行するレールＲとなり、前記一方側下壁面２ｄと他方側下壁面２ｇとの間に形成されたスリット状の溝が水平ガイドローラ１４が走行する水平ガイド溝Ｕとなる。更に、前記他方側下壁面２ｇの下面が傾動抑止ローラ１５が転動する上面側水平面Ｓとなる。また、前記走行軌条２ｈと２ｉとの間に形成された溝が走行軌条Ｖとなる。
【００２３】
前記中間部上ランナー装置８は、詳細には図８及び図９に示されるように、平面視で略Ｕ字状のランナ基体１１と、その上面に設けられた起立壁１２とからなるランナー本体１０に対して、水平方向軸回りに回転自在とされ、上レールに設けられた走行軌条２ｅ(Ｒ)上を走行可能とされる主ローラ１３，１３と、鉛直方向軸回りに回転自在とされ、前記上レール２に設けられたスリット状の水平ガイド溝内Ｕを走行可能とされる水平ガイドローラ１４，１４と、水平方向軸回りに回転自在とされ、前記主ローラ１３の配設位置を境として荷重作用点Ｏ側とは反対側に設けられるとともに、前記上レール２に設けられた上面側水平面Ｓを転動する傾動抑止ローラ１５，１５とを備えるものである。前記主ローラ１３、水平ガイドローラ１４，傾動抑止ローラ１５は、それぞれ一つずつ設けるようにしても良いが、走行安定性を図るために複数個づつ設けるようにするのが望ましい。図示例では夫々、２つずつ配設している。
【００２４】
更に、詳しく詳述すると、前記ランナー基体１１は、水平方向に２本のアーム片１１Ａ、１１Ｂを有するように平面視で略Ｕ字状に形成されている。前記アーム片１１Ａ、１１Ｂの先端には夫々、鉛直配向で上面側に起立する支軸１６が設けられており、前記支軸１６、１６に対して、鉛直軸回りに回転自在とされる翼板１７Ａ（１７Ｂ）が設けられている。この翼板１７Ａ、１７Ｂは、端部に前記支軸１６が挿入される軸受孔１７ａを備えると共に、折り畳み扉４を固定するための２つのビス孔１７ｂ、１７ｂを備えている。
【００２５】
前記起立壁１２は正面視で略Ｔ字状を成し、走行方向に離間を空けて、水平方向軸回りに回転自在とされ、上レール２に設けられた走行軌条２ｅ(Ｒ)上を走行可能とされる主ローラ１３，１３が支持されている。また、前記ランナー基体１１の上面に、走行方向に間隔を空けて、鉛直方向軸回りに回転自在とされ、前記上レール２に設けられたスリット状の水平ガイド溝Ｕ内を走行可能とされる水平ガイドローラ１４，１４が配設されている。更に、前記ランナー基体１１の背面側（前記アーム片１１Ａ、１１Ｂとは反対側）の側面に、走行方向に間隔を空けて、水平方向軸回りに回転自在とされ、前記主ローラ１３の配設位置を境として荷重作用点Ｏ側とは反対側に設けられるとともに、前記上レール２に設けられた上面側水平面Ｓを転動する傾動抑止ローラ１５，１５が配設されている。
【００２６】
そして、前記中間部上ランナー装置８は、図７に示されるように、上レール２の端部開口から挿入され、図５及び図６に示されるように、前記主ローラ１３が走行軌条Ｒ上に、前記水平ガイドローラ１４が水平ガイド溝Ｕ内に、前記傾動抑止ローラ１５が上面側水平面Ｓ（上レール２の下面）に接触するように設置される。
【００２７】
一方、前記折り畳み扉４は、図３に示されるように、前記中間部上ランナー装置８の翼板１７Ａ、１７Ｂに対して夫々、扉片４Ａ、４Ｂがビス止めされるとともに、隣接する中間部上ランナー装置８，８間において、扉片４Ａと扉片４Ｂとが蝶番１８により連結されている。
【００２８】
設置状態では、図５及び図６に示されるように、折り畳み扉４を閉状態とした場合及び折り畳み扉４を開状態とした場合のいずれにおいても、吊設物（折り畳み扉４）の荷重作用点Ｏは重心から偏心しているが、前記傾動防止ローラ１５が上面側水平面Ｓ（上レール２の下面）に接触するように配設されることによって、中間部上ランナー装置８が傾くのを防止するため、吊設物（折り畳み扉４）は傾動することなく鉛直に保持されるようになる。
【００２９】
また、荷重作用点Ｏに作用する荷重Ｐ１とアーム長Ｌ１との積によって発生するモーメントが、前記傾動防止ローラ１５の接触点に発生する反力Ｐ２とアーム長Ｌ２との積によって発生するモーメントによって相殺されるため（ΣＰｉ・Ｌｉ=０）、前記水平ガイドローラ１４に余計な荷重負担を負わせることがなくなるため、中間部上ランナー装置８は円滑な移動が可能となる。
【００３０】
更に、前記傾動抑止ローラ１５を水平方向軸回りに回転自在とし、上面側水平面Ｓ（上レール２の下面）を転動するようにした利点は、前述したように、水平ガイドローラ１４が折り畳み扉４によって発生するモーメントを相殺する部材となっていないため、上ランナー装置３の走行が円滑になる点の他、アーム長Ｌ２を長く確保しやすいため傾動防止ローラ１５の接触圧が小さくできるなどの利点を有する。
【００３１】
次に、折り畳み扉４の上部両側端部に設けられる端部上ランナー装置７について詳細に説明する。図１０〜図１２に示されるように、前記端部上ランナー装置７に対して移動側磁石２４が備えられるとともに、前記上レール２に対して前記折り畳み扉４が展開状態にある時に前記移動側磁石２４が近接する位置に固定側磁石２６が配設されている。そして、前記折り畳み扉４が展開状態とされた際に、前記移動側磁石２４と固定側磁石２６との引力によって、端部上ランナー装置７、７に、前記折り畳み扉４を展開させる方向であって相反する方向に夫々、作用力を発生させるようにしている。
【００３２】
前記端部上ランナー装置７は、詳細には図１２に示されるように、正面視で略Ｔ字状のランナー本体２２に対して、水平方向軸回りに回転自在とされ、上レール２内の上下方向両側に設けられた走行軌条２ｈ、２ｉ（Ｖ）を走行可能とされるローラ２３、２３…と、前記ランナー本体２２の上部中央部から水平方向に突出する水平面上に固設された移動側磁石２４とを備えるものである。前記ローラ２３は、両側にそれぞれ一つずつ設けるようにしても良いが、走行安定性を図るために複数個ずつ、図示例では２つずつ設けることが望ましい。
【００３３】
前記ランナー本体２２の両側にそれぞれ２つずつ設けられたローラ２３、２３は、図１１(A)に示されるように、内側のローラ２３が上側の走行軌条２ｈを走行し、外側のローラ２３が下側の走行軌条２ｉを走行するように、垂直方向にずらして配設することが好ましい。これによって、ランナー本体２２の上下方向のガタが抑えられ、折り畳み扉４のスムーズな開閉が可能になる。
【００３４】
前記ランナー本体２２は、前記ローラ２３…が取り付けられる上レール２に沿う方向に長く形成されたランナー上部２２ａと、ランナー上部２２ａの中央部から下側に延びるランナー下部２２ｂとから構成されている。
【００３５】
一方、前記上レール２の内部に対して、水平面２５ａと垂直面２５ｂとからなる断面略Ｌ字状とされた基材２５の前記水平面２５ａの下面側に固設された固定側磁石２６を備えている。前記基材２５は、前記垂直面２５ｂに設けられたビス孔２５ｃ、２５ｃと、上レール２の一方側側壁面２ｂに設けられた水平方向（上レールに沿った方向）に長い長孔２ｊ、２ｊとに連通されるビスによって水平方向の位置調整が可能に上レール２内に設けられるようになっている。
【００３６】
そして、前記端部上ランナー装置８は、図１２に示されるように、上レール２の端部開口から挿入され、図１０及び図１１に示されるように、前記ローラ２３、２３…が走行軌条Ｖに接触するように設置される。
【００３７】
また、ランナー本体２２は、少なくとも前記ランナー下部２２ｂが前記上レール２に設けられたスリット状の水平ガイド溝Ｕから下側に突出して設けられ、このランナー下部２２ｂに対して、扉片４Ａ（４Ｂ）の上部がビス止めされている。
【００３８】
設置状態では、図１０及び図１１に示されるように、折り畳み扉４を閉状態とし、前記移動側磁石２４が固定側磁石２６に近接する位置に移動することによって、これら移動側磁石２４と固定側磁石２６との引力によって端部上ランナー装置７に、折り畳み扉４を展開させる方向（折り畳み扉４の閉方向）であって、折り畳み扉４の両側端部に設けられた端部上ランナー装置７、７同士を相反する方向に夫々、作用力が発生するようになる。このため、折り畳み扉４の展開状態が保持できるようになる。
【００３９】
また、折り畳み扉４を閉状態とするのに扉の側端を対向する扉や縦框等に当接させる必要がないため、扉閉時の衝撃音が大幅に低減できるようになる。
【００４０】
次に、前記端部下ランナー装置６について説明すると、詳細には図１３及び図１４に示されるように、端部下ランナー装置６に対して移動側磁石２７が備えられるとともに、前記下レール５に対して前記折り畳み扉４が展開状態にある時に前記移動側磁石２７が近接する位置に固定側磁石２８が配設されている。そして、前記折り畳み扉４が展開状態とされた際に、前記移動側磁石２７と固定側磁石２８との引力によって前記端部下ランナー装置６に前記折り畳み扉４を展開させる方向に、作用力を発生させるようにしている。
【００４１】
前記下レール５は、図１０及び図１４に示されるように、断面略矩形状を成す部材であり、アルミ合金又は鋼材より構成されている。具体的には、下壁面５ａと、この下壁面５ａの一方端から起立する一方側側壁面５ｂと、前記下壁面５ａの他方端から起立する他方側側壁面５ｃと、この他方側側壁面５ｃの上端から水平方向に延びる上壁面５ｄと、前記下壁面５ａの中間から起立するとともに先端が前記他方側側壁面５ｃ側に屈折する起立片５ｅと、この起立片５ｅの屈折する先端に対向する位置であって、前記他方側側壁面５ｃの内面から突出する突出片５ｆとからなる。
【００４２】
後段で詳述するように、前記屈折する起立片５ｅの先端と、前記突出片５ｆの先端との間に形成された溝Ｗが端部下ランナー装置６のガイドローラ３０が走行するガイド溝Ｗとなる。
【００４３】
前記端部下ランナー装置６は、水平面２９ａと垂直面２９ｂとからなる断面略Ｌ字状のランナー本体２９に対して、前記水平面２９ａの下面側に、前記下レール５内に設けられたガイド溝Ｗ内を走行可能とされるガイドローラ３０、３０と、前記移動側磁石２７とを備えるものである。前記ガイドローラ３０は、一つ設けるようにしてもよいが、走行安定性を図るために複数個づつ設けるようにするのが望ましい。図示例では２つ配設している。
【００４４】
一方、前記下レール５の内部に対して、水平面３１ａと垂直面３１ｂとを有する断面略Ｌ字状とされた基材３１の前記水平面３１ａの上面側に固設された固定側磁石２８が備えられている。前記固定側磁石２８は、前記基材３１の垂直面３１ｂに設けられたビス孔３１ｃ、３１ｃと、下レール５の一方側側壁面５ｂに設けられた水平方向（レール長手方向に沿った方向）に長い長孔５ｇ、５ｇとに連通されるビスによって水平方向の位置調整が可能に設けられている。
【００４５】
そして、前記端部下ランナー装置６は、図１４に示されるように、下レール５の端部開口から挿入され、図１３に示されるように、前記ガイドローラ３０、３０がガイド溝Ｗに接触するように設置される。
【００４６】
また、ランナー本体２９は、前記垂直面２９ｂが前記下レール５の一方側側壁面５ｂの先端と上壁面５ｄの先端との間のスリット状の溝から上側に突出して設けられ、この垂直面２９ｂに対して、扉片４Ａ（４Ｂ）の下部がビス止めされている。
【００４７】
設置状態では、前記端部上ランナー装置７と同様に、移動側磁石２７と固定側磁石２８との引力によって、端部下ランナー装置６に、折り畳み扉４を展開させる方向であって、折り畳み扉４の両側端部に設けられた端部下ランナー装置６、６同士を相反する方向に夫々、作用力を作用させるようになる。このため、折り畳み扉４の展開状態が下端部においても保持できるようになる。
【００４８】
(1)上記形態例では、両端が自由端とされた折り畳み扉４の両側端部にそれぞれ端部上ランナー装置７を設けるようにしたが、一方端が自由で他方端がヒンジ部材等によって縦框等に固定された折り畳み扉４の一方端のみに前記端部上ランナー装置７を設けるようにしてもよい。
具体的には、上レール２に沿って走行可能とした上ランナー装置３と、前記上ランナー装置によって吊設されるとともに、一方側からの展開及び折り畳みが可能とされ他方側が固定された折り畳み扉４とを含む構造とする。前記上ランナー装置３は、前記折り畳み扉４の上部であって一方側の端部に設けられる端部上ランナー装置７と、前記折り畳み扉４の中間部に設けられる複数の中間部上ランナー装置８とから構成されている。そして、前記端部上ランナー装置７に対して移動側磁石２４が備えられるとともに、前記上レール２に対して前記折り畳み扉４が展開状態にある時に前記移動側磁石２４が近接する位置に固定側磁石２６が配設され、前記折り畳み扉４が展開状態とされた際に、前記移動側磁石２４と固定側磁石２６との引力によって前記端部上ランナー装置７に前記折り畳み扉４を展開させる方向に、作用力を発生させるようにしている。
【００４９】
(2)前記端部上ランナー装置７は、前記中間部上ランナー装置８のように、前記主ローラ１３、水平ガイドローラ１４、傾動抑止ローラ１５を備えることによって、折り畳み扉４が傾動することなく鉛直に保持できる構造とすることも可能である。この場合には、折り畳み扉４の傾動が端部上ランナー装置７によって防止できるので前記端部下ランナー装置６、６を設ける必要がない。
【００５０】
(3)上記形態例では、吊設物として折り畳み扉４の例を示したが、アコーデオンカーテンのような織物であってもよい。
【００５１】
(4)上記形態例では、前記傾動防止ローラ１５を上レール２の外部に位置するようにしたが、上レール２の内部に位置するように上レール２の断面形状を決定してもよい。また、本形態例では、前記上面側水平面Ｓの形成部分は上レール２の下面を利用したが、逆凹状に形成したレール溝を走行させるようにしてもよい。この場合は、該レール溝の底面（上面）が前記上面側水平面Ｓに相当する。
【符号の説明】
【００５２】
１…アコーデオン扉、２…上レール、３…上ランナー装置、４…折り畳み扉、５…下レール、６…端部下ランナー装置、７…端部上ランナー装置、８…中間部上ランナー装置、２４・２７…移動側磁石、２６・２８…固定側磁石、Ｖ…走行軌条、Ｗ…ガイド溝
【図１】
2014234615.tif 000003
【図２】
2014234615.tif 000004
【図３】
2014234615.tif 000005
【図４】
2014234615.tif 000006
【図５】
2014234615.tif 000007
【図６】
2014234615.tif 000008
【図７】
2014234615.tif 000009
【図８】
2014234615.tif 000010
【図９】
2014234615.tif 000011
【図１０】
2014234615.tif 000012
【図１１】
2014234615.tif 000013
【図１２】
2014234615.tif 000014
【図１３】
2014234615.tif 000015
【図１４】
2014234615.tif 000016